(57)【要約】【課題】  従来の全シリコン製ブラジャーの重い、通気性が悪い、快適でないという問題を解決する。【解決手段】  中間の高密度棉層と、高密度棉層の外側に結合される低密度外棉層と、低密度外棉層の外側に結合されて最も外側に存在する表面布層と、高密度棉層の内側に結合される低密度内棉層と、低密度内棉層の内側に結合される裏布層と、裏布層の内側に結合され、最も内側に存在するシリコン層とからなる。【効果】  シリコン層は高粘着性のシリコンからつくられるので、胸部によく貼り付く。そのため、貼付型ブラジャーは軽い素材、優れた通気性、貼り付け性、快適性を有する。【選択図】      図３
0003106861.tif 000002
【実用新案登録請求の範囲】
【請求項１】
中間に設けられる高密度棉層と、この高密度棉層の外側に結合される低密度外棉層と、この低密度外棉層の外側に結合されて最も外側に存在する表面布層と、前記高密度棉層の内側に結合される低密度内棉層と、この低密度内棉層の内側に結合される裏布層と、前記裏布層の内側に結合され、最も内側に存在するシリコン層とからなる貼付型ブラジャーの構造。
【請求項２】
請求項１記載の貼付型ブラジャーにおいて、シリコン層は高粘着性シリコンからつくられている貼付型ブラジャーの構造。
【考案の詳細な説明】
【技術分野】
【０００１】
本考案は、体に貼り付けるタイプのブラジャー（貼付型ブラジャー）に関する。
【背景技術】
【０００２】
貼付型ブラジャーは肩紐や装着ベルトがない簡易のブランジャーであり、その主なの利点は、低胸式の衣服に合わせて、肩紐などの外部露出の問題が解決されることである。従来から、貼付型ブラジャーは周知のものであり、一般的に、全体がシリコン材質で、胸の下半形状に合うスリーブ薄片型につくられていた。
【考案の開示】
【考案が解決しようとする課題】
【０００３】
しかし、従来のシリコン製貼付型ブランジャーには、広く使われた経験により、次の問題があることが知られている。すなわち、（ア）ブラジャー全体がシリコン製であるため、重量が大きく、身に付ける衣服によってはその衣服を着るときにブラジャーが重々しい感じがあるばかりでなく、同時に、体に貼り付けにくい。（イ）ブラジャー全体がシリコン製であるため、シリコン材質が相当に厚いので通気性が悪く、着用している間に不快感があるとともに、取り外した後で、いつも、痒い、過敏など皮膚病の症状を招く。
【０００４】
本考案は、上記の貼付型ブラジャーの上述の問題、すなわち、重いこと、通気性が悪いこと、快適でないことの問題を解決するためになされたものである。
【課題を解決するための手段】
【０００５】
上記課題を解決するため、本考案による貼付型ブラジャーは次の多層構造を備えたことを特徴としている。
中間に設けられる高密度棉層と、この高密度棉層の外側に結合される低密度外棉層と、この低密度外棉層の外側に結合されて最も外側に存在する表面布層と、前記高密度棉層の内側に結合される低密度内棉層と、この低密度内棉層の内側に結合される裏布層と、前記裏布層の内側に結合され、最も内側に存在するシリコン層とからなる貼付型ブラジャーの構造。
【０００６】
また、請求項１記載の貼付型ブラジャーは、シリコン層が高粘着性を有することが望ましい。
【考案の効果】
【０００７】
本考案は次の効果がある。すなわち、
１．中間に設けられる高密度棉層と、この高密度棉層の外側に結合される低密度外棉層と、この低密度外棉層の外側に結合されて最も外側に存在する表面布層と、前記高密度棉層の内側に結合される低密度内棉層と、この低密度内棉層の内側に結合される裏布層と、前記裏布層の内側に結合され、最も内側に存在するシリコン層とからなるので、新しい貼付型ブラジャーの構造を提供し、軽い素地、優れた通気性、貼り付け性、快適感が大幅に向上するなど実用的効果が得られる。
１．本考案により、貼付型ブラジャーは、軽い素材の高低密度棉層から構成され、重い素材のシリコン層の比率を最小限にするので、全部がシリコンで作られる従来のブラジャーの欠点が改善され、軽量化の目的が達成される。従って、装着するときの体に対する負担を大幅に減らすことができる。
２．本考案により、貼付型ブラジャーは、優れた通気性を持つ棉層から構成され、通気性の悪いシリコン層が一番内側の層にしか存在しないので、全体として通気性が良く、装着した時の快適性が大幅に向上されている。
３．シリコン層は高粘着性シリコンからつくられ、内側へ向かって浸透することができる。そして、シリコン層の必要な厚さは可及的に減少される。結局、重量を小さくし、通気性を向上するという利点を果たす。また、高粘着性シリコンを有するシリコン層は惰性の粘着力を持つので、装着するときは胸によく貼り付き、取り外す時は、シリコンが容易に剥離することができ、皮膚に残留することがない。
つまり、高密度棉層、低密度外棉層、表面布層、裏布層及びシリコン層から結合され、構成される創造の新型技術特徴により、軽い素材、優れた通気性、貼り付け性、快適感が大幅に向上するなど実用的効果が得られる。
【考案を実施するための最良の形態】
【０００８】
本考案の目的、特徴および効果などを一層よく理解するため、続いて、本考案の実施の形態について図面を参照しながら説明する。
図１は本考案による貼付型ブラジャーの表面側の斜視図、図２は同じく裏面側の斜視図、図３は各層ごとに分離して示す平面図、図４は各層を組み合わせた状態の断面図である。
【０００９】
本考案による貼付型ブラジャーＡは、高密度棉層１１、低密度外棉層１２、表面布層１３、低密度内棉層１４、裏布層１５、シリコン層１６を所定の順序で積層してなっている。
【００１０】
続いて、各層について詳細に説明する。
（ａ）高密度棉層１１
この層は、貼付型ブラジャーの中間に存在する層であり、高密度設計を採用して、優れた形態支持性を備えている。
（ｂ）低密度外棉層１２
この層１２は、高密度棉層１１の外側に存在して、その層１１に結合されている。低密度設計を採用して柔らかさを与え、手でタッチした時の感じを良好にする。
（ｃ）表面布層１３
この層１３は、低密度外棉層１２の外側に存在してその層１２に結合され、貼付型ブラジャーＡの最も外部の層を構成している。
（ｄ）低密度内棉層１４
この層は、高密度棉層１１の内側に結合され、低密度設計を採用するので、胸に対する貼り付け感が良いし、柔らかいので、快適な触感を与える。
（ｅ）裏布層１５
この層は、低密度内棉層１４の内側に結合されている。
（ｇ）シリコン層１６
シリコン層１６は裏布層１５の内側に結合されて、貼付型ブラジャーＡの一番内側の層を構成している。シリコン層１６は高粘着性シリコンからつくられる。シリコンの組成分子は非常に細微であるから、内側へ向かって、裏布層１５及び低密度内棉層１４に浸透することができる。そして、シリコン層１６の必要な厚さは薄ければ薄いほど良い。結局、重量を下げ、通気性を向上するという目的が果たされる。その他、高粘着性を有するシリコン層１６は惰性の粘着力を持つので、装着するときには胸によく貼り付き、取り外す時は容易に剥離し、シリコンが皮膚に残留することはない。
【図面の簡単な説明】
【００１１】
【図１】本考案による貼付型ブラジャーの正面側斜視図。
【図２】同じく裏面側斜視図。
【図３】本考案の貼付型ブラジャーの分解断面図。
【図４】本考案の組み合わせた状態の断面図。
【符号の説明】
【００１２】
Ａ  貼付型ブラジャー
１１  高密度棉層
１２  低密度外棉層
１３  表面布層
１４  低密度内棉層
１０  裏布層
１６  シリコン層
【図１】
0003106861.tif 000003
【図２】
0003106861.tif 000004
【図３】
0003106861.tif 000005
【図４】
0003106861.tif 000006